【手続補正書】
【提出日】平成18年6月13日(2006.6.13)
【手続補正１】
【補正対象書類名】特許請求の範囲
【補正対象項目名】請求項１
【補正方法】変更
【補正の内容】
【請求項１】
肌状態の分析結果の表示方法であって、分析より得られた特性値と理想的な肌状態に於ける特性値とを比較して表示することを特徴とする、肌状態の分析結果の表示方法。
【手続補正２】
【補正対象書類名】特許請求の範囲
【補正対象項目名】請求項３
【補正方法】変更
【補正の内容】
【請求項３】
採取した角層細胞の存在状況の分析が、角層細胞の剥離時に於ける配列規則性、剥離時に於ける重層状態の存在程度、角層細胞の面積、角層細胞の面積の均一性及び角層細胞に於けるメラニンの存在量から選択される項目を含むものであることを特徴とする、請求項２に記載の表示方法。
【手続補正３】
【補正対象書類名】特許請求の範囲
【補正対象項目名】請求項６
【補正方法】変更
【補正の内容】
【請求項６】
角層細胞の存在状況の分析より得られる肌状態の特性値が、肌の保水能力、乾燥、刺激からの肌の保護力又は色素沈着発生の危険性であることを特徴とする、請求項２〜５何れか１項に記載の肌状態の分析結果の表示方法。
【手続補正４】
【補正対象書類名】特許請求の範囲
【補正対象項目名】請求項７
【補正方法】変更
【補正の内容】
【請求項７】
肌のレプリカによる分析が、肌の微細な凹凸の存在状態及び／又は皮溝の方向性を指標にすることを特徴とする、請求項２〜６何れか一項に記載の表示方法。
【手続補正５】
【補正対象書類名】特許請求の範囲
【補正対象項目名】請求項８
【補正方法】変更
【補正の内容】
【請求項８】
肌の微細な凹凸の存在状態及び／又は皮溝の方向性が、レプリカの写真によって決定されることを特徴とする、請求項７に記載の表示方法。
【手続補正６】
【補正対象書類名】特許請求の範囲
【補正対象項目名】請求項９
【補正方法】変更
【補正の内容】
【請求項９】
肌の微細な凹凸の存在状態より、肌のきめの特性値が示されることを特徴とする請求項７又は８に記載の表示方法。
【手続補正７】
【補正対象書類名】特許請求の範囲
【補正対象項目名】請求項１０
【補正方法】変更
【補正の内容】
【請求項１０】
皮溝の方向性の程度より、シワの形成可能性が示されることを特徴とする、請求項７又は８に記載の表示方法。
【手続補正８】
【補正対象書類名】特許請求の範囲
【補正対象項目名】請求項１１
【補正方法】変更
【補正の内容】
【請求項１１】
採取した角層細胞の存在状況及び肌のレプリカの分析によって得られる、肌の保水能力、乾燥、刺激からの肌の保護力、色素沈着発生の危険性、肌のきめ及びシワの形成可能性を含む特性値をレーダーチャートにて、理想的な肌の特性値とともに表示することを特徴とする、請求項２〜１０何れか１項に記載の表示方法。
【手続補正９】
【補正対象書類名】特許請求の範囲
【補正対象項目名】請求項１２
【補正方法】変更
【補正の内容】
【請求項１２】
更に、被験者と同年代の人たちの平均的な特性値をあわせて表示することを特徴とする、請求項１１に記載の表示方法。
【手続補正１０】
【補正対象書類名】特許請求の範囲
【補正対象項目名】請求項１３
【補正方法】変更
【補正の内容】
【請求項１３】
紙面上に表示されることを特徴とする、請求項１〜１２何れか１項に記載の表示方法。
【手続補正１１】
【補正対象書類名】特許請求の範囲
【補正対象項目名】請求項１４
【補正方法】変更
【補正の内容】
【請求項１４】
紙面が、肌の手入れのアドバイスのための冊子であることを特徴とする、請求項１３に記載の表示方法。
【手続補正１２】
【補正対象書類名】特許請求の範囲
【補正対象項目名】請求項１５
【補正方法】変更
【補正の内容】
【請求項１５】
ＣＲＴ上に表示されることを特徴とする、請求項１〜１２何れか１項に記載の表示方法。
【手続補正１３】
【補正対象書類名】特許請求の範囲
【補正対象項目名】請求項１６
【補正方法】変更
【補正の内容】
【請求項１６】
サーバーよりダウンロードされたデータに基づいて表示がなされることを特徴とする、請求項１５に記載の表示方法。
【手続補正１４】
【補正対象書類名】明細書
【補正対象項目名】０００３
【補正方法】変更
【補正の内容】
【０００３】
一方、この様な説明技術に於いて、肌状態の分析結果の表示方法であって、分析より得られた特性値と理想的な肌状態に於ける特性値とを比較して表示する、肌状態の分析結果の表示方法は知られていない。
【手続補正１５】
【補正対象書類名】明細書
【補正対象項目名】０００６
【補正方法】変更
【補正の内容】
【０００６】
本発明者らは、この様な状況に鑑みて、より正確に把握出来るようになった肌状態の情報を、一般的な消費者に対して、更に具体的にわかりやすく説明する手段を求めて、鋭意研究を重ねた結果、肌状態の分析結果の表示方法であって、分析より得られた特性値と理想的な肌状態に於ける特性値とを比較して表示する、肌状態の分析結果の表示方法を以て、肌状態データを表示することにより、前記一般的な消費者へより適切な理解を促せることを見出し、発明を完成させるに至った。即ち、本発明は以下に示す技術に関するものである。
（１）肌状態の分析結果の表示方法であって、分析より得られた特性値と理想的な肌状態に於ける特性値とを比較して表示することを特徴とする、肌状態の分析結果の表示方法。（２）肌状態の分析が、採取した角層細胞の存在状況及び肌のレプリカによって為されたものであることを特徴とする、（１）に記載の肌状態の分析結果の表示方法。
（３）採取した角層細胞の存在状況の分析が、角層細胞の剥離時に於ける配列規則性、剥離時に於ける重層状態の存在程度、角層細胞の面積、角層細胞の面積の均一性及び角層細胞に於けるメラニンの存在量から選択される項目を含むものであることを特徴とする、（２）に記載の表示方法。
（４）角層細胞の剥離時に於ける配列規則性、剥離時に於ける重層状態の存在程度又は角
層細胞に於けるメラニンの存在量が角層細胞の写真で示されることを特徴とする、（３）に記載の表示方法。
（５）角層細胞の面積及び角層細胞の面積の均一性を、交差する角層細胞面積軸と角層細胞の面積のバラツキ軸がつくる座標上へのプロットで示されることを特徴とする、（３）に記載の表示方法。
（６）角層細胞の存在状況の分析より得られる肌状態の特性値が、肌の保水能力、乾燥、刺激からの肌の保護力又は色素沈着発生の危険性であることを特徴とする、（２）〜（５）何れか１項に記載の肌状態の分析結果の表示方法。
（７）肌のレプリカによる分析が、肌の微細な凹凸の存在状態及び／又は皮溝の方向性を指標にすることを特徴とする、（２）〜（６）何れか一項に記載の表示方法。
（８）肌の微細な凹凸の存在状態及び／又は皮溝の方向性が、レプリカの写真によって決定されることを特徴とする、（７）に記載の表示方法。
（９）肌の微細な凹凸の存在状態より、肌のきめの特性値が示されることを特徴とする、（７）又は（８）に記載の表示方法。
（１０）皮溝の方向性の程度より、シワの形成可能性が示されることを特徴とする、（７）又は（８）に記載の表示方法。
（１１）採取した角層細胞の存在状況及び肌のレプリカの分析によって得られる、肌の保水能力、乾燥、刺激からの肌の保護力、色素沈着発生の危険性、肌のきめ及びシワの形成可能性を含む特性値をレーダーチャートにて、理想的な肌の特性値とともに表示することを特徴とする、（２）〜（１０）何れか１項に記載の表示方法。
（１２）更に、被験者と同年代の人たちの平均的な特性値をあわせて表示することを特徴とする、（１１）に記載の表示方法。
（１３）紙面上に表示されることを特徴とする、（１）〜（１２）何れか１項に記載の表示方法。
（１４）紙面が、肌の手入れのアドバイスのための冊子であることを特徴とする、（１３）に記載の表示方法。
（１５）ＣＲＴ上に為されていることを特徴とする、（１）〜（１２）何れか１項に記載の表示方法。
（１６）サーバーよりダウンロードされたデータに基づいて表示がなされることを特徴とする、（１５）に記載の表示方法。
【手続補正１６】
【補正対象書類名】明細書
【補正対象項目名】０００８
【補正方法】変更
【補正の内容】
【０００８】
本発明の表示方法は、肌状態の分析結果の表示のためのものであって、分析より得られた特性値と理想的な肌状態に於ける特性値とを比較して表示することを特徴とする。本発明の表示方法の表示の対象とする肌状態であるが、化粧料の分野に於いて行われている分析に基づくものであれば特段の限定無く、例えば、採取した角層細胞標本等を用いて分析して得られる、角層細胞の剥離時に於ける配列規則性、剥離時に於ける重層状態の存在程度、角層細胞の面積、角層細胞の面積の均一性又は角層細胞に於けるメラニンの存在量等の因子、肌のレプリカを用いた分析より得られる、肌の微細な凹凸の存在状態或いは皮溝の方向性のデータなどが好ましく例示出来る。角層細胞の剥離時に於ける配列規則性、重層剥離の有無程度の状況、角層細胞の面積、角層細胞の面積の均一性は、それぞれ独立して、皮膚バリア機能の因子となっている。メラニンの存在量はシミの出来る可能性、出来やすさなどの因子となっている。肌の微細な凹凸の存在状態は、肌の肌理、メークアップ化粧料ののりやすさ、肌の活性化度の因子となっている。皮溝の方向性は、シワの将来出来る可能性の高さの因子となっている。これらの分析手法、それより導き出される因子と皮膚特性については、前記特許文献１〜１７に詳細に記載されており、それらに準じて皮膚
の評価を行うことが出来る。本発明の表示方法は、かかる分析データによって明らかにされた被験者の肌特性を、被験者が明確に理解し、正しいお肌のお手入れにつなげるように教示することを主眼とする。この様な理解に於いて重要なのは、絶対的な状態ではなく、比較しやすい他人と比較したデータであることを本発明者らは見出している。例えば、同年代の人に比べればどの程度良いのか悪いのか、或いは、理想的に肌とはどの程度乖離しているのかと言った、物差しの形成に有用なデータとともに提示することである。特に、理想的な肌状態はどの様に変えていけばよいのかを明示出来るので好ましい。特に、モニタリングのようなケースでは、理想的な肌状態に近づくか、遠ざかるかの挙動を捉えることが出来るので特に好ましい。この様な比較は、数値として為されることが好ましく、しかも、皮膚バリア機能などは多数の因子が独立して影響しあうものであることから、多軸上に並行して示すような手段が好ましい。かかる手段としては、具体的にはレーダーチャート上に、分析値の結合線、理想的な肌状態の数値の結合線、所望により、同年代の平均的な測定値の結合線の併記として表示することが好ましい。又、角層細胞に関する因子、レプリカに関する因子は何れも写真より判定されるものであるので、実際の分析に用いた写真を、前記表示とともに示すことも好ましい。この時、写真をまず目に入る位置に掲げて、しかる後に、レーダーチャートなどの比較表示を掲げることが好ましい。これは、先に具体的イメージをインプットした方が、数値関係の状況を記憶させやすいためである。又、この様な分析結果に加えて、お肌のお手入れ方法などを併記することが好ましい。これは、本発明の肌状態の分析結果の表示方法により、肌状態の実情の認識が深まり、前記お肌のお手入れ方法などの教示効果が著しく高まるためである。